(57)【特許請求の範囲】
【請求項１】
少なくとも顧客の氏名データとその顧客の商品買上金額に応じたポイントとを顧客ナンバーに対応付けて記憶保持する顧客ファイルと、
少なくとも顧客の氏名データとその顧客の商品買上金額に応じたポイントとをカードナンバーに対応付けて記憶保持して表面には温度変化によってデータ印字の書き換えが自在であるリライタブル材が成膜されたリライトカードに対して、前記記憶保持されたデータの読み取り及び書き込みと前記リライタブル材に対する書き換え自在のデータ印字とを行なうリライトカードリーダライタと、
このリライトカードリーダライタで読み取られた前記リライトカードに記憶されている前記カードナンバーと同一の前記顧客ナンバーが前記顧客ファイルに存在する場合には、前記リライトカードリーダライタで読み取られた前記リライトカードの前記カードナンバーと同一の前記顧客ナンバーに対応付けられた前記顧客ファイルの前記ポイントの更新を行なうポイント更新手段と、
前記リライトカードリーダライタで読み取られた前記リライトカードに記憶されている前記カードナンバーと同一の前記顧客ナンバーが前記顧客ファイルに存在しない場合には、前記カードナンバーと同一の前記顧客ナンバーを前記顧客ファイルに新規に登録する新規顧客登録手段と、
前記リライトカードリーダライタで読み取られた前記リライトカードに記憶されている前記カードナンバーと同一の前記顧客ナンバーに対応付けられた前記氏名データが前記顧客ファイルに存在し、かつ、前記リライトカードの前記カードナンバーに対応付けられた前記氏名データがブランクである場合には、前記顧客ファイルの前記氏名データを前記リライトカードに登録するために記憶エリアに記憶させる氏名データ登録手段と、
前記記憶エリアに記憶された前記氏名データを前記リライトカードに記憶させ、当該氏名データに基づく氏名を前記リライタブル材にデータ印字させる手段と、
を備える商品販売登録データ処理システム。
【請求項２】
少なくとも顧客の氏名データとその顧客の商品買上金額に応じたポイントとを顧客ナンバーに対応付けて記憶保持する顧客ファイルと、少なくとも顧客の氏名データとその顧客の商品買上金額に応じたポイントとをカードナンバーに対応付けて記憶保持して表面には温度変化によってデータ印字の書き換えが自在であるリライタブル材が成膜されたリライトカードに対して、前記記憶保持されたデータの読み取り及び書き込みと前記リライタブル材に対する書き換え自在のデータ印字とを行なうリライトカードリーダライタと、を備える商品販売登録データ処理システムに用いられ、コンピュータに読み取り可能なプログラムを記憶している記憶媒体であって、
前記プログラムは、
前記リライトカードリーダライタで読み取られた前記リライトカードに記憶されている前記カードナンバーと同一の前記顧客ナンバーが前記顧客ファイルに存在する場合には、前記リライトカードリーダライタで読み取られた前記リライトカードの前記カードナンバーと同一の前記顧客ナンバーに対応付けられた前記顧客ファイルの前記ポイントの更新を行なうポイント更新機能と、
前記リライトカードリーダライタで読み取られた前記リライトカードに記憶されている前記カードナンバーと同一の前記顧客ナンバーが前記顧客ファイルに存在しない場合には、前記カードナンバーと同一の前記顧客ナンバーを前記顧客ファイルに新規に登録する新規顧客登録機能と、
前記リライトカードリーダライタで読み取られた前記リライトカードに記憶されている前記カードナンバーと同一の前記顧客ナンバーに対応付けられた前記氏名データが前記顧客ファイルに存在し、かつ、前記リライトカードの前記カードナンバーに対応付けられた前記氏名データがブランクである場合には、前記顧客ファイルの前記氏名データを前記リライトカードに登録するために記憶エリアに記憶させる氏名データ登録機能と、
前記記憶エリアに記憶された前記氏名データを前記リライトカードに記憶させ、当該氏名データに基づく氏名を前記リライタブル材にデータ印字させる機能と、
を前記コンピュータに実行させる記憶媒体。
【発明の詳細な説明】
【０００１】
【発明の属する技術分野】
本発明は、量販店や専門店等で使用されるＰＯＳ（Point of Sales：販売時点管理）端末やＥＣＲ（Electric Cash Register）等の商品販売登録データ処理装置と、繰り返し印字可能なリライトカードに対するデータの読み取り及び書き込みを行なうリライトカードリーダライタと、を備える商品販売登録データ処理システム及び記憶媒体に関する。
【０００２】
【従来の技術】
量販店や専門店等においては、例えば、商品買上金額に応じたポイントを顧客カードに累積付加し、この累積ポイントに基づいて顧客に特典を与えるポイントサービスシステムが利用されている。このようなポイントサービスシステムによれば、顧客の購買意欲を高めるとともに、固定客を掴むための様々な販売促進活動を支援することができる。
【０００３】
このようなポイントサービスシステムを実施するにあたっては、顧客データを管理する顧客ファイルの作成が不可欠である。この顧客ファイルは、ＰＯＳ端末等において作成され、例えば、顧客ナンバーに対応付けて、氏名や累積ポイント等の個人情報を記憶保持している。なお、このような個人情報を有する顧客ファイルのデータを新規に作成するにあたっては、まず、新規にサービスへの入会を希望する顧客に対して店側が予め準備した入会申込書を提示し、この入会申込書に顧客データに係る所定の事項を記入してもらうようにしている場合が多い。
【０００４】
加えて、このようなポイントサービスシステムを実施するにあたっては、顧客毎にポイントを記憶するための各種のカードが用いられている。近年においては、ポイントを貯めるだけではなくポイントをその都度支払いにあてることができるポイントサービスシステムに対応すべく、温度変化によってデータ印字の書き換えが自在とされており繰り返し印字可能なリライトカードが多く用いられている。
【０００５】
【発明が解決しようとする課題】
ところで、このようなポイントサービスシステムで使用されるリライトカードは、予めカードナンバーのみが付番されており、入会の際に、そのカードナンバーが記載されている入会申込書とともに入会の際に顧客に手渡される場合が多い。つまり、顧客データに係る所定の事項が記入された入会申込書に基づいて顧客ファイルを作成する前に顧客に手渡されてしまうために、氏名が印字されていない状態でリライトカードは使用されることになり、その持ち主を一目で特定することが困難であり、不都合が生じている。
【０００６】
また、従来においては、売上登録処理の際の顧客ファイルの累積ポイントの更新処理は顧客ナンバーの入力後に顧客キーを操作することにより実行され、リライトカードの累積ポイントの更新処理はリライトカードをリライトカードリーダライタへ挿入することにより実行されており、それぞれの更新処理は独立して実行されるために、例えばリライトカードの累積ポイントの更新処理のみを実行し、顧客ファイルの累積ポイントの更新処理を忘れてしまうことにより、各累積ポイントの整合性が維持できなくなる等の問題がある。
【０００７】
本発明の目的は、リライトカードのポイントと顧客ファイルのポイントとの整合性を確実に維持することができる商品販売登録データ処理システム及び記憶媒体を提供することである。
【０００８】
本発明の目的は、リライトカードに氏名を確実に印字することができる商品販売登録データ処理システム及び記憶媒体を提供することである。
【０００９】
【課題を解決するための手段】
請求項１記載の発明の商品販売登録データ処理システムは、少なくとも顧客の氏名データとその顧客の商品買上金額に応じたポイントとを顧客ナンバーに対応付けて記憶保持する顧客ファイルと、少なくとも顧客の氏名データとその顧客の商品買上金額に応じたポイントとをカードナンバーに対応付けて記憶保持して表面には温度変化によってデータ印字の書き換えが自在であるリライタブル材が成膜されたリライトカードに対して、前記記憶保持されたデータの読み取り及び書き込みと前記リライタブル材に対する書き換え自在のデータ印字とを行なうリライトカードリーダライタと、このリライトカードリーダライタで読み取られた前記リライトカードに記憶されている前記カードナンバーと同一の前記顧客ナンバーが前記顧客ファイルに存在する場合には、前記リライトカードリーダライタで読み取られた前記リライトカードの前記カードナンバーと同一の前記顧客ナンバーに対応付けられた前記顧客ファイルの前記ポイントの更新を行なうポイント更新手段と、を備える。
【００１０】
したがって、リライトカードリーダライタで読み取られたリライトカードのカードナンバーと同一の顧客ナンバーに対応付けられた顧客ファイルのポイントが更新されることにより、リライトカードのポイントと顧客ファイルのポイントとの整合性を確実に維持することが可能になる。
【００１１】
請求項１記載の発明は、また、前記リライトカードリーダライタで読み取られた前記リライトカードに記憶されている前記カードナンバーと同一の前記顧客ナンバーが前記顧客ファイルに存在しない場合には、前記カードナンバーと同一の前記顧客ナンバーを前記顧客ファイルに新規に登録する新規顧客登録手段を備える。
【００１２】
したがって、顧客ナンバーに対応付けられたポイントを顧客ファイルに仮登録することが可能になることにより、例えばリライトカードの発行日においてもリライトカードのポイントと顧客ファイルのポイントとの整合性を確実に維持することが可能になる。
【００１３】
請求項１記載の発明は、更に、前記リライトカードリーダライタで読み取られた前記リライトカードに記憶されている前記カードナンバーと同一の前記顧客ナンバーに対応付けられた前記氏名データが前記顧客ファイルに存在し、かつ、前記リライトカードの前記カードナンバーに対応付けられた前記氏名データがブランクである場合には、前記顧客ファイルの前記氏名データを前記リライトカードに登録するために記憶エリアに記憶させる氏名データ登録手段と、前記記憶エリアに記憶された前記氏名データを前記リライトカードに記憶させ、当該氏名データに基づく氏名を前記リライタブル材にデータ印字させる手段と、を備える。
【００１４】
したがって、このリライトカードに登録された氏名データに基づいてリライトカードに氏名を確実に印字することが可能になる。
【００１５】
請求項２記載の発明の記憶媒体は、少なくとも顧客の氏名データとその顧客の商品買上金額に応じたポイントとを顧客ナンバーに対応付けて記憶保持する顧客ファイルと、少なくとも顧客の氏名データとその顧客の商品買上金額に応じたポイントとをカードナンバーに対応付けて記憶保持して表面には温度変化によってデータ印字の書き換えが自在であるリライタブル材が成膜されたリライトカードに対して、前記記憶保持されたデータの読み取り及び書き込みと前記リライタブル材に対する書き換え自在のデータ印字とを行なうリライトカードリーダライタと、を備える商品販売登録データ処理システムに用いられ、コンピュータに読み取り可能なプログラムを記憶している記憶媒体であって、前記プログラムは、前記リライトカードリーダライタで読み取られた前記リライトカードに記憶されている前記カードナンバーと同一の前記顧客ナンバーが前記顧客ファイルに存在する場合には、前記リライトカードリーダライタで読み取られた前記リライトカードの前記カードナンバーと同一の前記顧客ナンバーに対応付けられた前記顧客ファイルの前記ポイントの更新を行なうポイント更新機能を前記コンピュータに実行させる。
【００１６】
したがって、リライトカードリーダライタで読み取られたリライトカードのカードナンバーと同一の顧客ナンバーに対応付けられた顧客ファイルのポイントが更新されることにより、リライトカードのポイントと顧客ファイルのポイントとの整合性を確実に維持することが可能になる。
【００１７】
請求項２記載の発明は、また、前記リライトカードリーダライタで読み取られた前記リライトカードに記憶されている前記カードナンバーと同一の前記顧客ナンバーが前記顧客ファイルに存在しない場合には、前記カードナンバーと同一の前記顧客ナンバーを前記顧客ファイルに新規に登録する新規顧客登録機能を前記コンピュータに実行させる。
【００１８】
したがって、顧客ナンバーに対応付けられたポイントを顧客ファイルに仮登録することが可能になることにより、例えばリライトカードの発行日においてもリライトカードのポイントと顧客ファイルのポイントとの整合性を確実に維持することが可能になる。
【００１９】
請求項２記載の発明は、更に、前記リライトカードリーダライタで読み取られた前記リライトカードに記憶されている前記カードナンバーと同一の前記顧客ナンバーに対応付けられた前記氏名データが前記顧客ファイルに存在し、かつ、前記リライトカードの前記カードナンバーに対応付けられた前記氏名データがブランクである場合には、前記顧客ファイルの前記氏名データを前記リライトカードに登録するために記憶エリアに記憶させる氏名データ登録機能と、前記記憶エリアに記憶された前記氏名データを前記リライトカードに記憶させ、当該氏名データに基づく氏名を前記リライタブル材にデータ印字させる機能と、を前記コンピュータに実行させる。
【００２０】
したがって、このリライトカードに登録された氏名データに基づいてリライトカードに氏名を確実に印字することが可能になる。
【００２１】
【発明の実施の形態】
本発明の実施の一形態を図１ないし図７に基づいて説明する。本実施の形態の商品販売登録データ処理システムは、商品販売登録データ処理装置であるＰＯＳ（Point of Sales：販売時点管理）端末と、繰り返し印字可能なリライトカードに対するデータの読み取り及び書き込みを行なうリライトカードリーダライタとにより構成されている。
【００２２】
ここで、図１はリライトカードリーダライタ１３を備えたＰＯＳ端末１を概略的に示す外観斜視図である。図１に示すように、ＰＯＳ端末１は、ドロワ２上に載置されており、このドロワ２の引出３の開閉を制御する。このＰＯＳ端末１には、各種のキーが集合するキーボード４、図示しない鍵によってＰＯＳ端末１の動作モードを登録モード・設定モード・精算モード・点検モード等の各業務モードに切り替え設定するためのコントロールキー５、プリンタ６（図５参照）によって印字される取引レシート等を発行するレシート発行口７及びジャーナル窓８が設けられている。また、ＰＯＳ端末１の右側上方には、操作者側の表示部として機能するディスプレイ９が配置され、このディスプレイ９の近傍には客側の表示部として機能する客側ディスプレイ１０が立設されている。さらに、このＰＯＳ端末１には、商品に付される商品コードを光学的に読み取るためのバーコードスキャナ１１が接続されている。加えて、クレジットカード（図示せず）の磁気ストライプに記録されたデータの読み取りを行なうための磁気カードリーダ１２が、ＰＯＳ端末１の右側下方に設けられている。
【００２３】
加えて、図１に示すように、このＰＯＳ端末１には、繰り返し印字可能なリライトカードＣに対するデータの読み取り及び書き込みを行なうリライトカードリーダライタ１３が接続されている。ここで、図２はリライトカードＣを示し、（ａ）は表面図、（ｂ）は裏面図である。図２（ａ）に示すように、リライトカードＣの表面には、白濁タイプやロイコタイプのリライタブル材Ｒが成膜されている。このリライタブル材Ｒは、温度変化により可逆的に変色するものであり、温度変化によってデータ印字の書き換えが自在とされている。一方、リライトカードＣの裏面には、データＤ（図３参照）を記憶した磁気ストライプＭが形成されている。ここで、図３はリライトカードＣの裏面に形成されている磁気ストライプＭに記憶されているデータＤのデータ構造の一例を示す模式図である。図３に示すように、磁気ストライプＭに記憶されているデータＤは、リライトカードＣを所有する顧客の商品買上金額に応じた累計ポイントｄ１、リライトカードＣごとに付番されるカードナンバーｄ２、リライトカードＣを所有する顧客の氏名データｄ３により構成されている。
【００２４】
このようなリライトカードＣに対するデータの読み取り及び書き込みを行なうリライトカードリーダライタ１３について説明する。リライトカードリーダライタ１３には、カード挿入口１３ａ（図１参照）が形成されており、操作者はこのカード挿入口１３ａからリライトカードＣを挿入することになる。ここで、図４はリライトカードリーダライタ１３の内部構造を概略的に示す説明図である。図４に示すように、リライトカードリーダライタ１３には、カード挿入口１３ａから挿入されたリライトカードＣが搬送されるカード搬送経路１４の上下を一定の間隔を保ち挾むように対峙している回動自在な搬送ローラ対１４ａが、複数個配設されている。また、カード搬送経路１４には、多数の発熱素子を有するサーマルプリンタヘッド１５が配設されている。サーマルプリンタヘッド１５はリライトカードＣのリライタブル材Ｒに印字可能な位置に備えられ、このサーマルプリンタヘッド１５に対向してプラテンローラ１６が備えられている。このプラテンローラ１６は、モータ（図示せず）を駆動源として回転することによりカード搬送部材としても機能する。つまり、搬送ローラ対１４ａとプラテンローラ１６とを駆動することにより、カード挿入口１３ａから挿入されてリライトカードＣを吸入し、排出することが可能となっている。加えて、カード搬送経路１４には、リライトカードＣの磁気ストライプＭに記憶されているデータＤの書き込み及び読み取りを行なう磁気ヘッド１７が配設されている。
【００２５】
次に、ＰＯＳ端末１に備えられる各部の電気的接続を図５に基づいて説明する。図５に示すように、このＰＯＳ端末１は、マイクロコンピュータ（以下、マイコンという。）１８を内蔵し、このマイコン１８が、前述したキーボード４、コントロールキー５、プリンタ６、ディスプレイ９、客側ディスプレイ１０、バーコードスキャナ１１、磁気カードリーダ１２、リライトカードリーダライタ１３等の各部をバスライン１９と各種制御回路（図示せず）とを介して駆動制御する。また、マイコン１８は、ＣＰＵ２０にバスライン１９を介して、起動プログラム等の固定的データを格納する記録媒体であるＲＯＭ２１と各種データを書き換え自在に格納するＲＡＭ２２とを接続することにより構成されている。ＲＡＭ２２は、可変的なデータを書き換え自在に格納する機能を利用して、各種ワークエリアの機能を果たす。なお、ＲＡＭ２２は、バッテリＢＴによってバックアップされている。
【００２６】
また、マイコン１８にはバスライン１９を介してＨＤＤ（Hard Disk Drive）２３が接続されており、このＨＤＤ２３には、マイコン１８を動作させる制御プログラムや商品マスタファイル、売上登録に係る売上情報を記憶保持する売上ファイル、顧客ファイル等が格納されている。ここで、図６は顧客ファイルＦのファイル構造を示す模式図である。顧客ファイルＦには、顧客の商品買上金額に応じた累計ポイントを記憶する累計ポイントエリアａ、顧客ごとに付番される顧客ナンバーを記憶する顧客ナンバーエリアｂ、顧客の氏名データを記憶する氏名エリアｃにより構成されている。このような顧客ファイルＦに記憶される各種データは、例えば、顧客に対して店側が予め準備した入会申込書を提示し、この入会申込書に顧客データに係る所定の事項を記入してもらい、その入会申込書に記載されている各事項をキーボード４を介して入力したものである。
【００２７】
さらに、マイコン１８にはバスライン１９を介して通信Ｉ／Ｆ２４が接続されており、このＰＯＳ端末１は、外部のホストコンピュータ等に接続可能になっている。
【００２８】
ここで、ＰＯＳ端末１に内蔵されたＨＤＤ２３に格納された制御プログラムが、マイコン１８に実行させる機能について説明する。なお、本実施の形態においては、従来のＰＯＳ端末によって行なわれる処理と同様の処理についてはその説明を省略する。
【００２９】
図７は、顧客ファイル更新処理の流れを概略的に示すフローチャートである。顧客ファイル更新処理は、コントロールキー５の切り替えによって登録モードに設定されていることを条件として実行される。図７に示すように、顧客ファイル更新処理としては、まず、カード吸入・カードリードコマンドをリライトカードリーダライタ１３に対して送信する（ステップＳ１）。この動作は、売上登録処理の際に所定のタイミングでキーボード４に設けられているカードキー（図示せず）を操作することにより実行される。
【００３０】
続くステップＳ２においては、ステップＳ１で送信されたカード吸入・カードリードコマンドに基づいてリライトカードリーダライタ１３の搬送ローラ対１４ａとプラテンローラ１６とが駆動されてリライトカードリーダライタ１３が吸入され、磁気ヘッド１７によってリライトカードＣの磁気ストライプＭに記憶されているデータＤが読み取られることから、そのリライトカードＣの磁気ストライプＭに記憶されているデータＤの受信に待機する。
【００３１】
そして、リライトカードＣの磁気ストライプＭに記憶されているデータＤを受信した場合には（ステップＳ２のＹ）、受信したデータＤをＲＡＭ２２に設けられるワークエリアであるリードデータセーブエリア（図示せず）と、ライトデータセーブエリア（図示せず）とにそれぞれセーブする（ステップＳ３）。
【００３２】
続くステップＳ４においては、ＲＡＭ２２のリードデータセーブエリアにセーブしたデータＤと顧客ファイルＦとを比較する。この比較の結果、リードデータセーブエリアにセーブされているデータＤのカードナンバーｄ２と同一の顧客ナンバーが顧客ファイルＦの顧客ナンバーエリアｂに有り（ステップＳ５のＹ）、かつ、リードデータセーブエリアにセーブされているデータＤに氏名データｄ３が無い場合には（ステップＳ６のＮ）、データＤのカードナンバーｄ２と同一の顧客ナンバーに対応付けられた顧客ファイルＦの氏名エリアｃに記憶されている氏名データをライトデータセーブエリアにセットし（ステップＳ７）、ステップＳ８に進む。つまり、ステップＳ７によって、氏名データ登録手段の機能の一部が実行される。
【００３３】
一方、リードデータセーブエリアにセーブされているデータＤのカードナンバーｄ２と同一の顧客ナンバーが顧客ファイルＦの顧客ナンバーエリアｂに有り（ステップＳ５のＹ）、かつ、リードデータセーブエリアにセーブされているデータＤに氏名データｄ３が有る場合には（ステップＳ６のＹ）、そのままステップＳ８に進む。
【００３４】
ステップＳ８では、データＤのカードナンバーｄ２と同一の顧客ナンバーに対応付けられた顧客ファイルＦの累計ポイントエリアａに記憶されている累計ポイントを当該売上登録処理に係る売上データに基づき更新する。ここに、ポイント更新手段の機能が実行される。
【００３５】
そして、ＲＡＭ２２のライトデータセーブエリアに更新された顧客ファイルＦの累計ポイントエリアａに記憶されている累計ポイントをデータＤの累計ポイントｄ１としてセーブし（ステップＳ９）、そのＲＡＭ２２のライトデータセーブエリアのデータＤをリライトカードリーダライタ１３に送信し、リライトカードＣの磁気ストライプＭに記憶されているデータＤを更新するとともに、そのデータＤに従ってリライタブル材Ｒのデータ印字を書き換える（ステップＳ１０）。これにより、ステップＳ７によって氏名データ登録手段の機能の一部が実行されていれば、リライトカードＣに登録された氏名データｄ３に基づいてリライトカードＣに氏名を確実に印字することが可能になる。
【００３６】
また、ステップＳ４でのＲＡＭ２２のリードデータセーブエリアにセーブしたデータＤと顧客ファイルＦとの比較の結果、リードデータセーブエリアにセーブされているデータＤのカードナンバーｄ２と同一の顧客ナンバーが顧客ファイルＦの顧客ナンバーエリアｂに無い場合には（ステップＳ５のＮ）、顧客ファイルＦの顧客ナンバーエリアｂにデータＤのカードナンバーｄ２と同一の顧客ナンバーを作成し（ステップＳ１１）、ステップＳ８に進む。つまり、ステップＳ１１によって、新規顧客登録手段の機能が実行される。これにより、顧客ナンバーに対応付けられたポイントを顧客ファイルＦに仮登録することが可能になることにより、例えばリライトカードＣの発行日においてもリライトカードＣのポイントと顧客ファイルＦのポイントとの整合性を確実に維持することが可能になる。
【００３７】
ここに、リライトカードリーダライタ１３で読み取られたリライトカードＣのカードナンバーｄ２と同一の顧客ナンバーに対応付けられた顧客ファイルＦのポイントが更新されることにより、リライトカードＣのポイントと顧客ファイルＦのポイントとの整合性を確実に維持することが可能になる。
【００３８】
なお、本実施の形態では、制御プログラムがＨＤＤ２３に格納されていたが、これに限るものではなく、ＦＤ、ＣＤ−ＲＯＭ（いずれも図示せず）等の記憶媒体に制御プログラムを格納しても良い。なお、ＦＤ、ＣＤ−ＲＯＭは、ＰＯＳ端末１に固定的に設けられておらず、単体で取り扱える交換自在な記憶媒体としての形態を備え、図示しないＦＤドライブやＣＤ−ＲＯＭドライブを用いることによって制御プログラムを読み出すことでマイコン１８による各処理が可能になる。
【００３９】
さらに、本実施の形態においては、商品販売登録データ処理装置としてＰＯＳ端末１に適用したが、これに限るものではなく、ＥＣＲ（Electric Cash Register）に適用しても良い。
【００４０】
【発明の効果】
本発明によれば、リライトカードのポイントと顧客ファイルのポイントとの整合性を確実に維持することができる。
【００４１】
また、例えばリライトカードの発行日においてもリライトカードのポイントと顧客ファイルのポイントとの整合性を確実に維持することができる。
【００４２】
更に、このリライトカードに登録された氏名データに基づいてリライトカードに氏名を確実に印字することができる。
【図面の簡単な説明】
【図１】本発明の実施の一形態のリライトカードリーダライタを備えたＰＯＳ端末を概略的に示す外観斜視図である。
【図２】リライトカードを示し、（ａ）は表面図、（ｂ）は裏面図である。
【図３】リライトカードの裏面に形成されている磁気ストライプに記憶されているデータのデータ構造の一例を示す模式図である。
【図４】リライトカードリーダライタの内部構造を概略的に示す説明図である。
【図５】ＰＯＳ端末に備えられる各部の電気的接続を示すブロック図である。
【図６】顧客ファイルのファイル構造を示す模式図である。
【図７】顧客ファイル更新処理の流れを概略的に示すフローチャートである。
【符号の説明】
１３      リライトカードリーダライタ
２３      記憶媒体
Ｃ        リライトカード
Ｆ        顧客ファイル
【図１】
0003771775.tif 000002
【図２】
0003771775.tif 000003
【図３】
0003771775.tif 000004
【図４】
0003771775.tif 000005
【図５】
0003771775.tif 000006
【図６】
0003771775.tif 000007
【図７】
0003771775.tif 000008